(57)【特許請求の範囲】
【請求項１】
指針軸を回転駆動するムーブメントと、
前記ムーブメントを固定するムーブメント固定部材と、
前記指針軸を挿入可能な貫通孔を有するソーラーパネルと、
前記ムーブメントに固定されて前記指針軸が同軸に挿入された筒状部材と、を備え、
前記貫通孔は、前記ソーラーパネルの弾性変形により変形可能であって、該貫通孔に挿入された前記筒状部材に弾性係合し、
前記ムーブメント固定部材は、前記ソーラーパネルの回転を規制するための規制係合部を備え、
前記ソーラーパネルの外周部は、前記規制係合部に係合する係合部を備え、
前記ソーラーパネルは、前記ソーラーパネルを厚さ方向に貫通すると共に前記貫通孔に連通する切欠部を備えることを特徴とする電子時計。
【請求項２】
前記ソーラーパネルは、分割部により分割された複数のソーラーセルを備え、
前記切欠部は、前記分割部に設けられていることを特徴とする請求項１に記載の電子時計。
【請求項３】
前記ソーラーパネルは、前記ソーラーパネルを厚さ方向に貫通して前記ムーブメントにより表示される文字列を露出可能な窓部を備え、
前記係合部は、前記窓部から径方向外方側に配置されていることを特徴とする請求項１又は請求項２に記載の電子時計。
【請求項４】
前記指針軸を挿入可能な文字板貫通孔を有する文字板を備え、
前記筒状部材は、前記文字板貫通孔に挿入されて弾性係合する弾性部を備え、
前記ムーブメント固定部材は、前記文字板の回転を規制するための文字板規制係合部を備え、
前記文字板の外周部は、前記文字板規制係合部に係合する文字板係合部を備えることを特徴とする請求項１から請求項３の何れか１つに記載の電子時計。
【請求項５】
前記弾性部は、前記筒状部材の一部が切り欠けられて形成されていることを特徴とする請求項４に記載の電子時計。
【発明の詳細な説明】
【技術分野】
【０００１】
この発明は、電子時計に関する。
【背景技術】
【０００２】
従来、例えばムーブメントにより回転駆動される指針軸を挿入するための挿入孔を中央部に備えた文字板およびソーラーパネルを、枠状の支持部材によってムーブメントに固定するために、文字板およびソーラーパネルの各外周部に切欠部または凸部を設けると共に、これらの切欠部または凸部に係合する係合部を支持部材に設けたソーラー時計が知られている（例えば、特許文献１参照）。
【先行技術文献】
【特許文献】
【０００３】
【特許文献１】特開平１１−１４８９８１号公報
【発明の概要】
【発明が解決しようとする課題】
【０００４】
ところで、上記従来技術に係るソーラー時計においては、文字板およびソーラーパネルの各外周部に設けた切欠部または凸部と、支持部材に設けた係合部とを係合させることによって、ムーブメントに対して文字板およびソーラーパネルを位置決め固定している。
しかしながら、文字板およびソーラーパネルおよび支持部材の各部材には寸法誤差が存在し、文字板およびソーラーパネルを外周部において位置決めするだけでは、文字板およびソーラーパネルに設けられた挿入孔が指針軸に対して位置ずれしてしまったり、日車を露出させて日付を表示させるために文字板およびソーラーパネルを厚さ方向に貫通して設けられる日文字逃げ窓が位置ずれしてしまうという問題が生じる。
【０００５】
このような問題に対して、各部材の寸法誤差による位置ずれを考慮して、例えば文字板およびソーラーパネルの挿入孔の内壁が指針軸に接触することを防止するために各挿入孔を大きくしたり、例えば日車の日付が文字板およびソーラーパネルで隠れてしまうことを防止するために日文字逃げ窓を大きくすると、ソーラーパネルの発電有効面積が減少してしまい、所望の発電電力を確保することができないという問題が生じる。
【０００６】
本発明は上記事情に鑑みてなされたもので、ソーラーパネルを精度良く固定し、予め位置ずれに対応してソーラーパネルの発電有効面積を減少させる必要が生じることを防止することが可能な電子時計を提供することを目的としている。
【課題を解決するための手段】
【０００７】
上記課題を解決して係る目的を達成するために、本発明の第１の態様に係る電子時計は、指針軸（例えば、実施の形態での指針軸３５）を回転駆動するムーブメント（例えば、実施の形態でのムーブメント１１）と、前記ムーブメントを固定するムーブメント固定部材（例えば、実施の形態でのムーブメント固定枠６０）と、前記指針軸を挿入可能な貫通孔（例えば、実施の形態でのソーラーパネル貫通孔４７）を有するソーラーパネル（例えば、実施の形態でのソーラーパネル１２）と、前記ムーブメントに固定されて前記指針軸が同軸に挿入された筒状部材（例えば、実施の形態での案内ブシュ２９）と、を備え、前記貫通孔は、前記ソーラーパネルの弾性変形により変形可能であって、該貫通孔に挿入された前記筒状部材に弾性係合し、前記ムーブメント固定部材は、前記ソーラーパネルの回転を規制するための規制係合部（例えば、実施の形態でのソーラーパネル固定突起６１）を備え、前記ソーラーパネルの外周部は、前記規制係合部に係合する係合部（例えば、実施の形態でのソーラーパネル固定溝４６、突起８１）を備える。
【０００８】
さらに、本発明の第２の態様に係る電子時計では、前記ソーラーパネルは、前記ソーラーパネルを厚さ方向に貫通すると共に前記貫通孔に連通する切欠部（例えば、実施の形態でのソーラーパネル切欠部４８）を備える。
【０００９】
さらに、本発明の第３の態様に係る電子時計では、前記ソーラーパネルは、分割部（例えば、実施の形態での分割部４１）により分割された複数のソーラーセル（例えば、実施の形態でのソーラーセル４２ａ，４２ｂ，４２ｃ）を備え、前記切欠部は、前記分割部に設けられている。
【００１０】
さらに、本発明の第４の態様に係る電子時計では、前記ソーラーパネルは、前記ソーラーパネルを厚さ方向に貫通して前記ムーブメントにより表示される文字列を露出可能な窓部（例えば、実施の形態での日文字逃げ窓４５）を備え、前記係合部は、前記窓部から径方向外方側に配置されている。
【００１１】
さらに、本発明の第５の態様に係る電子時計は、前記指針軸を挿入可能な文字板貫通孔（例えば、実施の形態での文字板貫通孔５１）を有する文字板（例えば、実施の形態での文字板１３）を備え、前記筒状部材は、前記文字板貫通孔に挿入されて弾性係合する弾性部（例えば、実施の形態での弾性支持部２９ｄおよび弾性突起部２９ｅ）を備え、前記ムーブメント固定部材は、前記文字板の回転を規制するための文字板規制係合部（例えば、実施の形態での文字板固定突起６２）を備え、前記文字板の外周部は、前記文字板規制係合部に係合する文字板係合部（例えば、実施の形態での文字板固定溝５３、文字板突起８２）を備える。
【００１２】
さらに、本発明の第６の態様に係る電子時計では、前記弾性部は、前記筒状部材の一部が切り欠けられて形成されている。
【発明の効果】
【００１３】
本発明の第１の態様に係る電子時計によれば、ムーブメントに固定された筒状部材によってソーラーパネルを案内するようにして、指針軸を挿入するためにソーラーパネルに設けられた貫通孔に筒状部材を挿入することによって、ソーラーパネルをムーブメントに精度良く位置決め固定することができ、貫通孔の内壁が指針軸に接触することを防止することができる。
【００１４】
さらに、ムーブメント固定部材の規制係合部（例えば、突起や溝など）にソーラーパネルの外周部の係合部（例えば、溝や突起など）を係合させることによって、ソーラーパネルの中心軸周りの周方向の回転を規制することにより、周方向に対してもソーラーパネルをムーブメントに精度良く位置決め固定することができる。
【００１５】
これらにより、ソーラーパネルおよびムーブメント固定部材などの各部材に寸法誤差が存在する場合であっても、各部材の寸法誤差による位置ずれを考慮して予めソーラーパネルの貫通孔を大きく形成してソーラーパネルの発電有効面積を減少させる必要が生じることを防止することができる。
【００１６】
しかも、ソーラーパネルの貫通孔は筒状部材に弾性係合することから、ソーラーパネルを的確に固定することができる。
【００１７】
さらに、本発明の第２の態様に係る電子時計によれば、貫通孔に連通する切欠部を備えることによって、貫通孔を容易に変形させることができ、筒状部材を貫通孔に容易に挿入することができる。
【００１８】
さらに、本発明の第３の態様に係る電子時計によれば、ソーラーパネルの発電有効面積が減少することを防止することができる。
【００１９】
さらに、本発明の第４の態様に係る電子時計によれば、窓部の周辺には絶縁のための領域などの発電に寄与しない領域を設ける必要が生じ、また、例えば係合部として溝などが形成される場合には、この溝の周辺にも絶縁のための領域などの発電に寄与しない領域を設ける必要が生じることから、これらの発電に寄与しない領域を共用することで、ソーラーパネルの発電有効面積の減少を抑制することができる。
【００２０】
さらに、本発明の第５の態様に係る電子時計によれば、ムーブメントに固定された筒状部材によって文字板を案内するようにして、指針軸を挿入するために文字板に設けられた文字板貫通孔に筒状部材を挿入することによって、文字板をムーブメントに精度良く位置決め固定することができ、文字板貫通孔の内壁が指針軸に接触することを防止することができる。
【００２１】
さらに、ムーブメント固定部材の文字板規制係合部（例えば、突起や溝など）に文字板の外周部の文字板係合部（例えば、溝や突起など）を係合させることによって、文字板の中心軸周りの周方向の回転を規制することにより、周方向に対しても文字板をムーブメントに精度良く位置決め固定することができる。
【００２２】
これらにより、文字板およびムーブメント固定部材などの各部材に寸法誤差が存在する場合であっても、各部材の寸法誤差による位置ずれを考慮して予め文字板の貫通孔を大きく形成して文字板の表示有効面積を減少させる必要が生じたり、文字板の見映えが損なわれることを防止することができる。
【００２３】
さらに、本発明の第６の態様に係る電子時計によれば、弾性部を容易に形成することができる。
【図面の簡単な説明】
【００２４】
【図１】本発明の実施の形態に係る電子時計の要部断面図である。
【図２】本発明の実施の形態に係る電子時計のソーラーパネルの斜視図である。
【図３】本発明の実施の形態に係る電子時計のソーラーパネルの平面図である。
【図４】本発明の実施の形態に係る電子時計の文字板の平面図である。
【図５】本発明の実施の形態に係る電子時計のムーブメント固定枠の平面図である。
【図６】本発明の実施の形態に係る電子時計のムーブメント固定枠およびソーラーパネルの一部を示す平面図である。
【図７】本発明の実施の形態の第１変形例に係る電子時計のソーラーパネルの平面図である。
【図８】本発明の実施の形態の第２変形例に係る電子時計のソーラーパネルの平面図である。
【図９】本発明の実施の形態の第３変形例に係る電子時計のソーラーパネルの平面図である。
【図１０】本発明の実施の形態の第４変形例に係る電子時計の文字板の平面図である。
【発明を実施するための形態】
【００２５】
以下、本発明の一実施形態に係る電子時計について添付図面を参照しながら説明する。
本実施の形態による電子時計１０は、例えば金属などにより筒状に形成された筐体（図示略）と、この筐体の表面側に装着されたカバーガラス（図示略）と、筐体の裏面側に着脱可能に取り付けられた裏蓋（図示略）と、によって閉塞された筐体内に組み込まれたムーブメント１１と、ムーブメント１１の表面側（カバーガラス側）に配置されたソーラーパネル１２と、ソーラーパネル１２の表面側（カバーガラス側）に配置された文字板１３と、を備えて構成されている。
【００２６】
ムーブメント１１は、例えば図１に示すように、地板２１に組み込まれて、ステッピングモータなどの動力により回転する輪列２２と、輪列２２の少なくとも一部（例えば、四番車３４など）を回転可能に支持する輪列受２３と、輪列受２３を保持する押え板２４と、を備えて構成されている。
【００２７】
輪列２２は、例えば、地板２１の中央部に回転可能に配設された筒車３１と、筒車３１の内部に同軸に配置されて、筒車３１を回転可能に支持する筒状の中心パイプ３２と、中心パイプ３２の内部に同軸に配置され、回転可能に支持された筒状の二番車３３と、二番車３３の内部に同軸に配置され、回転可能に支持された四番車３４と、を備えている。
【００２８】
そして、筒車３１および二番車３３および四番車３４の各軸部は、後述する案内ブシュ２９に挿入されることでソーラーパネル１２および文字板１３を貫通して文字板１３の表面上に突出し、時刻の時を示す時針および分を示す分針および秒を示す秒針からなる指針軸３５を構成している。
【００２９】
さらに、ムーブメント１１は、例えば、皿ばね２５によって筒車３１に対して離間配置された状態で地板２１に固定されて、日車（図示略）を押える日車押え２６と、日車押え２６を位置決めするために地板２１に設けられた案内ピン２７と、日車押え２６を地板２１に固定する止めねじ２８と、日車押え２６の中央部に設けられた貫通孔２６ａに嵌合された筒状の案内ブシュ２９と、を備えている。
【００３０】
案内ブシュ２９は、例えば金属などにより筒状に形成され、軸方向の一端から他端に向かい外周面上に複数の段部が形成されるようにして、順次、日車押え嵌合部２９ａとソーラーパネル嵌合部２９ｂとソーラーパネル係止部２９ｃと弾性支持部２９ｄと弾性突起部２９ｅとを備えて構成されている。
【００３１】
日車押え嵌合部２９ａは、例えば、日車押え２６の貫通孔２６ａの内径と同等または僅かに大きな外径を有し、日車押え２６の貫通孔２６ａに挿入され、この貫通孔２６ａに打ち込み又はかしめ等により、日車押え２６に固定されている。
【００３２】
ソーラーパネル嵌合部２９ｂは、例えば、日車押え嵌合部２９ａに対して一段拡径すると共に、後述するソーラーパネル１２の中央部に設けられたソーラーパネル貫通孔４７の内径と同等の外径を有し、ソーラーパネル１２のソーラーパネル貫通孔４７に挿入され、このソーラーパネル貫通孔４７に嵌合することによって、ソーラーパネル１２を固定している。
【００３３】
ソーラーパネル係止部２９ｃは、例えば、ソーラーパネル嵌合部２９ｂから一段拡径した外径を有し、軸方向の他端側からソーラーパネル１２を係止して、軸方向の他端側へのソーラーパネル１２の移動を規制している。
【００３４】
弾性支持部２９ｄは、例えば、ソーラーパネル係止部２９ｃから一段縮径すると共に、後述する文字板１３の中央部に設けられた文字板貫通孔５１よりも小さな外径を有し、軸方向の他端部において径方向外方に向かい突出すると共に、後述する文字板１３の文字板貫通孔５１よりも僅かに大きな外径を有する弾性突起部２９ｅを備えている。
【００３５】
弾性支持部２９ｄおよび弾性突起部２９ｅには、例えば図２に示すように、周方向の複数の所定位置において案内ブシュ２９の軸方向の他端から一端側に向かい延びるようにして切り欠けられた切欠部２９ｆが形成されている。
弾性支持部２９ｄおよび弾性突起部２９ｅは、切欠部２９ｆによって径方向の内方に向かい弾性変形可能とされている。
弾性支持部２９ｄおよび弾性突起部２９ｅは、弾性変形しつつ文字板１３の文字板貫通孔５１に挿入され、弾性突起部２９ｅが文字板貫通孔５１の内周面に弾性係合することによって、文字板１３を固定している。
【００３６】
ソーラーパネル１２は、例えば図２および図３に示すように円板状に形成され、径方向に延びる複数（例えば、３つ）の絶縁性の分割部４１と、周方向に分割部４１と交互に配置されて電気的に直列に接続された扇型板状の複数（例えば、３つ）のソーラーセル４２ａ，４２ｂ，４２ｃと、複数の分割部４１の外周端に接続されて各ソーラーセル４２ａ，４２ｂ，４２ｃの外周部を覆う絶縁性の枠部４３と、を備えて構成されている。
ソーラーパネル１２は、文字板１３を透過した太陽光などの光により発電し、ムーブメント１１の駆動などに用いられる電力を２次電池やコンデンサなどの蓄電部（図示略）に出力する。
【００３７】
そして、枠部４３には、例えば径方向で対向する２つの所定位置に２つの電極４４ａ，４４ｂが設けられている。
また、ソーラーセル４２ａには、日車（図示略）を露出させて日付を表示させるためにソーラーパネル１２を厚さ方向に貫通する日文字逃げ窓４５が設けられている。
また、枠部４３の外周面４３Ａ上において日文字逃げ窓４５から径方向外方側の位置にはソーラーパネル固定溝４６が形成されている。
【００３８】
また、複数の分割部４１の内周端同士が接続されて形成された絶縁性の中央部４１ａには、ソーラーパネル１２を厚さ方向に貫通するソーラーパネル貫通孔４７が設けられている。
また、各分割部４１の内周部には、ソーラーパネル１２を厚さ方向に貫通すると共に、ソーラーパネル貫通孔４７に連通するようにして径方向に延びるソーラーパネル切欠部４８が形成されている。
【００３９】
ソーラーパネル貫通孔４７およびソーラーパネル切欠部４８は、ソーラーパネル１２の弾性変形により変形可能であって、案内ブシュ２９のソーラーパネル嵌合部２９ｂにソーラーパネル貫通孔４７を嵌合させる。
つまり、ソーラーパネル貫通孔４７およびソーラーパネル切欠部４８は、案内ブシュ２９がソーラーパネル貫通孔４７に挿入される際にソーラーパネル貫通孔４７がソーラーパネル係止部２９ｃを乗り越えるようにして弾性変形する。そして、ソーラーパネル係止部２９ｃを乗り越えたソーラーパネル貫通孔４７はソーラーパネル係止部２９ｃに隣接するソーラーパネル嵌合部２９ｂに弾性係合する。
【００４０】
文字板１３は、例えば光透過性を有するプラスチックなどの非導電性部材により円板状に形成され、表面に時刻の秒、分、時に係る数字などの表示が設けられ、図４に示すように、文字板１３の中央部を厚さ方向に貫通する文字板貫通孔５１と、ソーラーパネル１２の日文字逃げ窓４５に臨んで連通する日文字逃げ窓５２と、外周面１３Ａ上において日文字逃げ窓５２から径方向外方側の位置に設けられた文字板固定溝５３と、を備えている。
【００４１】
ムーブメント１１を固定するムーブメント固定枠６０は、例えば図５に示すように円環板状に形成されて筐体内に固定され、ムーブメント１１の外周面と相補的な形状の内周面６０Ａを有している。
【００４２】
また、ムーブメント固定枠６０は、例えば図６（Ａ）に示すように、内周面６０Ａ上の所定位置から径方向内方に向かい突出すると共に、ソーラーパネル固定溝４６に係合可能なソーラーパネル固定突起６１を備えている。
ソーラーパネル固定突起６１は、例えば径方向の内周側において周方向に膨出する形状を有し、ソーラーパネル１２のソーラーパネル貫通孔４７に案内ブシュ２９のソーラーパネル嵌合部２９ｂが嵌合した状態で、ソーラーパネル固定溝４６に装着されることによって、ソーラーパネル１２を固定し、ソーラーパネル１２の中心軸周りの周方向の回転移動を規制する。
【００４３】
また、ムーブメント固定枠６０は、例えば図６（Ｂ）に示すように、軸方向端面６０Ｂ上の所定位置から軸方向外方に向かい突出すると共に、文字板固定溝５３に係合可能な文字板固定突起６２を備えている。
文字板固定突起６２は、例えば径方向の外周側において周方向に膨出する形状を有し、文字板１３の文字板貫通孔５１に案内ブシュ２９の弾性突起部２９ｅが弾性係合した状態で、文字板固定溝５３に装着されることによって、文字板１３を固定し、文字板１３の中心軸周りの周方向の回転移動を規制する。
【００４４】
上述したように、本実施の形態による電子時計１０によれば、ムーブメント１１に固定された筒状の案内ブシュ２９によってソーラーパネル１２を案内するようにして、指針軸３５を挿入するためにソーラーパネル１２に設けられたソーラーパネル貫通孔４７に案内ブシュ２９を挿入することによって、ソーラーパネル１２をムーブメント１１に精度良く位置決め固定することができ、ソーラーパネル貫通孔４７の内壁が指針軸３５に接触することを防止することができる。
【００４５】
さらに、ムーブメント固定枠６０のソーラーパネル固定突起６１にソーラーパネル１２の外周面４３Ａ上のソーラーパネル固定溝４６を係合させることによって、ソーラーパネル１２の中心軸周りの周方向の回転を規制することにより、周方向に対してもソーラーパネル１２をムーブメント１１に精度良く位置決め固定することができる。
【００４６】
これらにより、例えば、ソーラーパネル１２およびムーブメント固定枠６０などの各部材に寸法誤差が存在する場合であっても、各部材の寸法誤差による位置ずれを考慮して予めソーラーパネル１２のソーラーパネル貫通孔４７を大きく形成してソーラーパネル１２の発電有効面積を減少させる必要が生じることを防止することができる。
【００４７】
しかも、ソーラーパネル１２は、ソーラーパネル貫通孔４７に連通するソーラーパネル切欠部４８を備えることによって、ソーラーパネル貫通孔４７を容易に変形させることができ、案内ブシュ２９（特に、ソーラーパネル係止部２９ｃ）をソーラーパネル貫通孔４７に容易に挿入することができる。さらに、ソーラーパネル貫通孔４７は案内ブシュ２９（つまり、ソーラーパネル嵌合部２９ｂ）に弾性係合することから、ソーラーパネル１２を的確に固定することができる。
【００４８】
さらに、ソーラーパネル切欠部４８は分割部４１に形成されていることから、ソーラーパネル１２の発電有効面積が減少することを防止することができる。
【００４９】
さらに、ソーラーパネル固定溝４６は日文字逃げ窓４５から径方向外方側の位置に形成されていることから、日文字逃げ窓４５の周辺に設けられる絶縁のための領域などの発電に寄与しない領域と、ソーラーパネル固定溝４６の周辺に設けられる絶縁のための領域などの発電に寄与しない領域とを共用することで、ソーラーパネル１２の発電有効面積の減少を抑制することができる。
【００５０】
さらに、ムーブメント１１に固定された筒状の案内ブシュ２９によって文字板１３を案内するようにして、指針軸３５を挿入するために文字板１３に設けられた文字板貫通孔５１に案内ブシュ２９を挿入することによって、文字板１３をムーブメント１１に精度良く位置決め固定することができ、文字板貫通孔５１の内壁が指針軸３５に接触することを防止することができる。
【００５１】
さらに、ムーブメント固定枠６０の文字板固定突起６２に文字板１３の外周面１３Ａ上の文字板固定溝５３を係合させることによって、文字板１３の中心軸周りの周方向の回転を規制することにより、周方向に対しても文字板１３をムーブメント１１に精度良く位置決め固定することができる。
【００５２】
これらにより、例えば、文字板１３およびムーブメント固定枠６０などの各部材に寸法誤差が存在する場合であっても、各部材の寸法誤差による位置ずれを考慮して予め文字板１３の文字板貫通孔５１を大きく形成して文字板１３の表示有効面積を減少させる必要が生じたり、文字板１３の見映えが損なわれることを防止することができる。
【００５３】
さらに、案内ブシュ２９に切欠部２９ｆを形成するだけで、弾性支持部２９ｄおよび弾性突起部２９ｅを容易に弾性変形可能とすることができる。
【００５４】
なお、上述した実施の形態においては、例えば図７に示す第１変形例のように、ソーラーパネル１２を厚さ方向に貫通し、適宜の指針が挿入される複数の指針逃げ穴７０が設けられてもよい。
【００５５】
なお、上述した実施の形態においては、ソーラーパネル１２の径方向に延びる複数（例えば、３つ）の分割部４１にソーラーパネル切欠部４８を備えるとしたが、これに限定されず、例えば図８に示す第２変形例のように、各ソーラーセル４２ａ，４２ｂ，４２の内周側の適宜の位置に絶縁されたソーラーパネル切欠部４８を形成して、複数の分割部４１よりも少数（例えば、２つ）のソーラーパネル切欠部４８（例えば、１つの分割部４１に形成されたソーラーパネル切欠部４８と１つのソーラーセル４２ｂに形成されたソーラーパネル切欠部４８）のみを設けてもよい。
これにより、ソーラーパネル１２の発電有効面積が減少することを防止することができる。
【００５６】
なお、上述した実施の形態においては、ソーラーパネル１２の日文字逃げ窓４５および文字板１３の日文字逃げ窓５２は省略されてもよい。
【００５７】
なお、上述した実施の形態において、ソーラーパネル固定突起６１と文字板固定突起６２とは一体に形成されてもよい。
【００５８】
なお、上述した実施の形態においては、ソーラーパネル１２のソーラーパネル固定溝４６とムーブメント固定枠６０のソーラーパネル固定突起６１とによりソーラーパネル１２の周方向の回転移動を規制するとしたが、これに限定されず、例えば図９に示す第３変形例のように、ムーブメント固定枠６０の内周面６０Ａ上に形成した溝にソーラーパネル１２の枠部４３の外周面４３Ａ上から径方向外方に突出する突起８１を装着することによって、ソーラーパネル１２を固定してもよい。
【００５９】
なお、上述した実施の形態においては、文字板１３の文字板固定溝５３とムーブメント固定枠６０の文字板固定突起６２とにより文字板１３の周方向の回転移動を規制するとしたが、これに限定されず、例えば図１０に示す第４変形例のように、ムーブメント固定枠６０の内周面６０Ａ上に形成した溝に文字板１３の外周面１３Ａ上から径方向外方に突出する文字板突起８２を装着することによって、文字板１３を固定してもよい。
【符号の説明】
【００６０】
１０  電子時計
１１  ムーブメント
１２  ソーラーパネル
２９  案内ブシュ（筒状部材）
２９ｄ  弾性支持部（弾性部）
２９ｅ  弾性突起部（弾性部）
３５  指針軸
４２ａ，４２ｂ，４２ｃ  ソーラーセル
４１  分割部
４５  日文字逃げ窓（窓部）
４６  ソーラーパネル固定溝（係合部）
４７  ソーラーパネル貫通孔（貫通孔）
４８  ソーラーパネル切欠部（切欠部）
５１  文字板貫通孔
５３  文字板固定溝（文字板係合部）
６０  ムーブメント固定枠
６１  ソーラーパネル固定突起（規制係合部）
６２  文字板固定突起（文字板規制係合部）
８１  突起（係合部）
８２  文字板突起（文字板係合部）
【図１】
0005798888.tif 000002
【図２】
0005798888.tif 000003
【図３】
0005798888.tif 000004
【図４】
0005798888.tif 000005
【図５】
0005798888.tif 000006
【図６】
0005798888.tif 000007
【図７】
0005798888.tif 000008
【図８】
0005798888.tif 000009
【図９】
0005798888.tif 000010
【図１０】
0005798888.tif 000011